【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
複数の署名対象領域が設定され、前記署名対象領域の各々について生成された電子署名情報が付された印刷情報を取得する印刷情報取得手段と、
前記印刷情報における印刷対象領域の範囲の情報を取得する範囲情報取得手段と、
前記印刷情報取得手段による前記取得が完了する前に前記印刷対象領域の少なくとも一部を含む前記署名対象領域についての前記電子署名情報の検証を行う検証手段と、
を備えることを特徴とする印刷装置。
【請求項２】
請求項１に記載の印刷装置において、
前記検証手段による前記検証が完了する前に、すでに前記検証手段により検証された前記署名対象領域における前記印刷情報の印刷を行う印刷手段を備えることを特徴とする印刷装置。
【請求項３】
請求項１に記載の印刷装置において、
前記印刷情報取得手段による前記取得が完了する前に、すでに前記検証手段により検証された前記署名対象領域における前記印刷情報の印刷を行う印刷手段を備えることを特徴とする印刷装置。
【請求項４】
請求項２または３に記載の印刷装置において、
前記印刷手段による前記印刷が開始された後に、別の署名対象領域についての前記電子署名情報の検証が失敗した場合に、検証に失敗した旨の通知を行う失敗通知手段を備えることを特徴とする印刷装置。
【請求項５】
請求項４に記載の印刷装置において、
前記失敗通知手段は、前記印刷対象領域について印刷された用紙の出力後に検証に失敗した旨を印刷した用紙を出力して前記通知を行うことを特徴とする印刷装置。
【請求項６】
請求項２または３に記載の印刷装置において、
前記印刷手段による前記印刷が開始された後に、別の署名対象領域についての前記電子署名情報の検証が失敗した場合に、前記印刷手段による前記印刷を中止させる中止手段を備えることを特徴とする印刷装置。
【請求項７】
請求項２または３に記載の印刷装置において、
前記検証手段による前記検証が完了する前に、印刷中の前記印刷情報についての前記検証が未完了である旨の通知を行う未完了通知手段を備えることを特徴とする印刷装置。
【請求項８】
請求項１乃至３のいずれか１項に記載の印刷装置において、
一または二以上の前記署名対象領域と、他の一または二以上の前記署名対象領域とは、少なくとも一部が重複し、
前記検証手段は、重複する前記署名対象領域から選択した署名対象領域について、前記検証を行う、
ことを特徴とする印刷装置。
【請求項９】
請求項１乃至３のいずれか１項に記載の印刷装置において、
複数の前記署名対象領域は、隣り合う領域の少なくとも一部を重複させて設定され、
前記検証手段は、前記印刷対象領域を覆うように隣り合う複数の前記署名対象領域について前記電子署名情報を検証することを特徴とする印刷装置。
【請求項１０】
請求項１に記載の印刷装置において、
前記印刷情報取得手段は、前記印刷情報を受信することにより、前記印刷情報を取得することを特徴とする印刷装置。
【請求項１１】
請求項１に記載の印刷装置において、
さらに、前記印刷情報を記憶する記憶手段を備え、
前記印刷情報取得手段は、前記記憶手段に記憶された前記印刷情報を読み出すことにより、前記印刷情報を取得することを特徴とする印刷装置。
【請求項１２】
複数の署名対象領域が設定され、前記署名対象領域の各々について生成された電子署名情報が付された印刷情報を取得する印刷情報取得手段と、
前記印刷情報における印刷対象領域の範囲の情報を取得する範囲情報取得手段と、
前記印刷情報取得手段による前記取得が完了する前に前記印刷対象領域の少なくとも一部を含む前記署名対象領域についての前記電子署名情報の検証を行う検証手段、
としてコンピュータを機能させる印刷プログラム。
【請求項１３】
複数の署名対象領域が設定され、前記署名対象領域の各々について生成された電子署名情報が付された印刷情報を取得する印刷情報取得手段と、
前記印刷情報における印刷対象領域の範囲の情報を取得する範囲情報取得手段と、
前記印刷情報取得手段による前記取得が完了する前に前記印刷対象領域の少なくとも一部を含む前記署名対象領域についての前記電子署名情報の検証を行う検証手段と、
を備えることを特徴とする印刷システム。
【請求項１４】
印刷情報に対して複数の署名対象領域を設定する領域設定手段と、
各署名対象領域に対する電子署名情報を生成する生成手段と、
前記印刷情報に対し、同一用紙の片面または両面に印刷すべきページ数の設定を行う設定手段と、
を備え、
前記領域設定手段は、同一用紙の片面または両面に印刷されるべきページを前記署名対象領域として設定することを特徴とする印刷情報生成装置。
【請求項１５】
印刷情報に対して複数の署名対象領域を設定する領域設定手段と、
各署名対象領域に対する電子署名情報を生成する生成手段と、
前記印刷情報に対し、同一用紙の片面または両面に印刷すべきページ数の設定を行う設定手段と、
を備え、
前記領域設定手段は、同一用紙の片面または両面に印刷されるべきページを前記署名対象領域として設定する手段、
としてコンピュータを機能させる印刷情報生成プログラム。
【請求項１６】
印刷情報に対して複数の署名対象領域を設定する領域設定手段と、
各署名対象領域に対する電子署名情報を生成する生成手段と、
前記印刷情報に対し、同一用紙の片面または両面に印刷すべきページ数の設定を行う設定手段と、
を備え、
前記領域設定手段は、同一用紙の片面または両面に印刷されるべきページを前記署名対象領域として設定することを特徴とする印刷情報生成システム。
【請求項１７】
印刷情報の属性情報に基づいて、前記印刷情報に対し複数の署名対象領域を設定することの可否を判定する判定手段と、
前記判定手段により設定が可能であると判定された場合に、前記印刷情報に対して複数の署名対象領域を設定する領域設定手段と、
各署名対象領域における前記印刷情報に対する電子署名情報を生成する生成手段と、
を備えることを特徴とする印刷情報生成装置。
【請求項１８】
印刷情報の属性情報に基づいて、前記印刷情報に対し複数の署名対象領域を設定することの可否を判定する判定手段と、
前記判定手段により設定が可能であると判定された場合に、前記印刷情報に対して複数の署名対象領域を設定する領域設定手段と、
各署名対象領域における前記印刷情報に対する電子署名情報を生成する生成手段、
としてコンピュータを機能させることを特徴とする印刷情報生成プログラム。
【請求項１９】
印刷情報の属性情報に基づいて、前記印刷情報に対し複数の署名対象領域を設定することの可否を判定する判定手段と、
前記判定手段により設定が可能であると判定された場合に、前記印刷情報に対して複数の署名対象領域を設定する領域設定手段と、
各署名対象領域における前記印刷情報に対する電子署名情報を生成する生成手段と、
を備えることを特徴とする印刷情報生成システム。
【請求項２０】
印刷情報の印刷対象領域を指示する指示情報と、
前記印刷情報と、
前記印刷情報における複数の署名対象領域の各々について生成された電子署名情報と、
を含み、
前記指示情報、前記印刷情報、及び前記電子署名情報は、印刷装置に入力される情報であり、
前記指示情報は、前記印刷情報の印刷装置への入力が完了する前に、前記印刷装置に入力され、
各署名対象領域についての前記電子署名情報は、前記印刷情報におけるその署名対象領域が入力された後に連続して、またはその署名対象領域が入力される以前に、前記印刷装置に入力されることを特徴とする入力情報。
【手続補正２】
【補正対象書類名】明細書
【補正対象項目名】０００７
【補正方法】変更
【補正の内容】
【０００７】
本発明の印刷装置の一態様においては、前記検証手段による前記検証が完了する前に、すでに前記検証手段により検証された前記署名対象領域における前記印刷情報の印刷を行う印刷手段を備える。